(57)【要約】【課題】開閉ロッド５を閉鎖位置に簡単にロックできるナスカンスナップを提供する。【解決手段】一端部にフック１を一体に形成したナスカン本体２と、ナスカン本体２の他端部に取り付けられた引き紐等索体連結用のリング３と、ナスカン本体２にその長手方向にスライド自在で回転自在に支持され、常時はバネ４により付勢されてフック１の開口部１ｏを閉鎖する開閉ロッド５と、開閉ロッド５に基軸部６を介して一体に突設されていて、基軸部６がナスカン本体２に長手方向に設けられたガイド用スリット７に沿ってスライドするロッド開放操作用把手８とからなるナスカンスナップにおいて、ナスカン本体２のフック１側端部には、開閉ロッド５を閉鎖位置にロックするためのロック用溝１０をガイド用スリット７から横方向に分岐して設け、開閉ロッド５によってフック１の開口部１ｏを閉鎖する際にロッド開放操作用把手８の基軸部６をロック溝部１０ｂに係入させる。【選択図】図１
0003139072.tif 000002
【実用新案登録請求の範囲】
【請求項１】
一端部にフックを一体に形成したナスカン本体と、ナスカン本体の他端部に取り付けられた引き紐等索体連結用のリングと、ナスカン本体にその長手方向にスライド自在で回転自在に支持され、常時はバネにより付勢されてフックの開口部を閉鎖する開閉ロッドと、開閉ロッドに基軸部を介して一体に突設されていて、基軸部がナスカン本体に長手方向に設けられたガイド用スリットに沿ってスライドするロッド開放操作用把手とからなるナスカンスナップにおいて、
ナスカン本体のフック側端部には、開閉ロッドを閉鎖位置にロックするためのロック用溝をガイド用スリットから横方向に分岐して設け、開閉ロッドによってフックの開口部を閉鎖する際にロッド開放操作用把手の基軸部をロック用溝に係入させるようにしたことを特徴とするナスカンスナップ。
【請求項２】
ロック用溝は、ガイド用スリットに隣接する入口溝部と、入口溝部の奥部側にあって、入口溝部よりもフックの開口部側へ先行するように段違いに設けられたロック溝部とからなることを特徴とする請求項１に記載のナスカンスナップ。
【考案の詳細な説明】
【技術分野】
【０００１】
本考案は、犬等のペットの首輪や胴輪に引き紐を連結するためにその首輪や胴輪に引っ掛けるのに主として使用されるナスカンスナップに関するものである。
【背景技術】
【０００２】
図５は従来のナスカンスナップを示したもので、(a) は正面図、(b) は側面図である。このナスカンスナップ１０Ｎは、一端部にフック１を一体に形成したナスカン本体２と、このナスカン本体２の他端部に取り付けられた引き紐等索体連結用のリング３と、ナスカン本体２にその長手方向にスライド自在で回転自在に支持されていて、常時はコイルバネ４により付勢されてフック１の開口部１ｏを閉鎖する開閉ロッド５と、この開閉ロッド５に基軸部６を介して一体に突設されていて、その基軸部６がナスカン本体２に長手方向に形成されたガイド用スリット７に沿ってスライド自在のロッド開放操作用把手８とからなり、図示の状態からコイルバネ４の付勢力に抗して把手８で開閉ロッド５を押し上げることによって、フック１の開口部１ｏを開放させるようになっている。
【考案の開示】
【考案が解決しようとする課題】
【０００３】
上記のような従来のナスカンスナップ１０Ｎのフック１を例えば犬の首輪に引っ掛け、リング３に引き紐を連結して、犬を散歩させる際に、犬の首の激しい動きや振動等によって開閉ロッド５が瞬間的に開放方向にスライドして開放し、引き紐がリング３から外れて犬が逃亡する、というような問題があった。
【０００４】
本考案は、上記の課題に鑑み、開閉ロッド５を閉鎖位置に簡単にロックできるようにしたナスカンスナップを提供することを目的とする。
【課題を解決するための手段】
【０００５】
上記課題を解決するための手段を、後述する実施形態の参照符号を付して説明すると、請求項１に係る考案は、一端部にフック１を一体に形成したナスカン本体２と、ナスカン本体２の他端部に取り付けられた引き紐等索体連結用のリング３と、ナスカン本体２にその長手方向にスライド自在で回転自在に支持され、常時はバネ４により付勢されてフック１の開口部１ｏを閉鎖する開閉ロッド５と、開閉ロッド５に基軸部６を介して一体に突設されていて、基軸部６がナスカン本体２に長手方向に設けられたガイド用スリット７に沿ってスライドするロッド開放操作用把手８とからなるナスカンスナップにおいて、
ナスカン本体２のフック１側端部には、開閉ロッド５を閉鎖位置にロックするためのロック用溝１０をガイド用スリット７から横方向に分岐して設け、開閉ロッド５によってフック１の開口部１ｏを閉鎖する際にロッド開放操作用把手８の基軸部６をロック溝部１０ｂに係入させるようにしたことを特徴とする。
【０００６】
請求項２は、請求項１に記載のナスカンスナップにおいて、ロック用溝１０は、ガイド用スリット７に隣接する入口溝部１０ａと、入口溝部１０ａの奥部側にあって、入口溝部１０ａよりもフック１の開口部１ｏ側へ先行するように段違いに設けられたロック溝部１０ｂとからなることを特徴とする。
【考案の効果】
【０００７】
上記解決手段による考案の効果を、後述する実施形態の参照符号を付して説明すると、請求項１に係る考案のナスカンスナップによれば、ナスカン本体２のフック１側端部に、開閉ロッド５を閉鎖位置にロックするためのロック用溝１０をガイド用スリット７から横方向に分岐して設けたから、開閉ロッド５によってフック１の開口部１ｏを閉鎖する際にロッド開放操作用把手８の基軸部６をロック溝部１０ｂに係入させることによって、開閉ロッド５を閉鎖位置に簡単にロックすることができ、それによって索体連結用リング３に引き紐の端部を連結し、フック１を犬の首輪に取り付けて、犬を散歩させるような時に、犬の首が激しく動いたり、ナスカン本体２やフック１に大きな振動等が生じたりしても、開閉ロッド５はロックされた状態にあるため開放するおそれがなく、従って犬の逃亡を防ぐことができる。
【０００８】
請求項２に係る考案のように、ロック用溝１０を、ガイド用スリット７に隣接する入口溝部１０ａと、入口溝部１０ａよりもフック１の開口部１ｏ側へ先行するように段違いに設けられたロック溝部１０ｂとから構成することにより、ロッド開放操作用把手８の基軸部６は、一旦ロック溝部１０ｂに入り込めば、人がロッド開放操作用把手８を操作しない限り、基軸部６が入口溝部１０ａ側へ抜け出るようなことはなく、従って開閉ロッド５をより確実に閉鎖位置にロックすることができる。
【考案を実施するための最良の形態】
【０００９】
以下に本考案の好適な一実施形態を図面に基づいて説明すると、図１の(a) は本考案に係るナスカンスナップの正面図、(b) は側面図であり、図２は同ナスカンスナップの背面図である。本考案に係るナスカンスナップＮは、その殆どが図５に示す従来のナスカンスナップ１０Ｎと同様であって、一端部にフック１を一体に形成したナスカン本体２と、このナスカン本体２の他端部に取付用ボルト９によって回転自在に取り付けられた索体連結用リング３と、ナスカン本体２に長手方向にスライド自在で回転自在に支持されていて、常時はコイルバネ４により付勢されてフック１の開口部１ｏを閉鎖する開閉ロッド５と、この開閉ロッド５に基軸部６を介して一体に突設されていて、基軸部６がナスカン本体２に長手方向に形成されたガイド用スリット７に沿ってスライド自在のロッド開放操作用把手８とから構成されている。索体連結用リング３には、図示は省略するが、引き紐の一端部が連結されるようになっている。
【００１０】
本考案に係るナスカンスナップＮが従来のナスカンスナップ１０Ｎと異なるところは、ナスカン本体２のフック１側端部に、開閉ロッド５を閉鎖位置にロックするためのロック用溝１０をガイド用スリット７から横方向に分岐して設け、開閉ロッド５によってフック１の開口部１ｏを閉鎖する際に、ロッド開放操作用把手８の基軸部６をロック用溝１０に係入させるようにした点にある。
【００１１】
上記ナスカンスナップＮの構造について更に詳しく説明すれば、概ね円柱状のナスカン本体２にはそのほぼ中心軸線に沿ってロッドスライド孔１１が設けられ、このロッドスライド孔１１の上端部は閉塞され、下端部はフック１の開口部１ｏに開口している。そしてこのロッドスライド孔１１にはコイルバネ４が挿入された後、開閉ロッド５がスライド自在に嵌挿されると共に、ロッド開放操作用把手８の基軸部６がガイド用スリット７にスライド自在に挿入されるようになっている。
【００１２】
開閉ロッド５を閉鎖位置にロックするためのロック用溝１０は、図１の(a) ，(b) に示すように、ナスカン本体２のフック１側端部におけるガイド用スリット７の片側でガイド用スリット７に隣接する入口溝部１０ａと、この入口溝部１０ａの奥部側にあって、入口溝部１０ａよりもフック１の開口部１ｏ側へ先行するように段違いに設けられたロック溝部１０ｂとからなり、しかして入口溝部１０ａとロック溝部１０ｂとは、図１の(a) から分かるように正面視で横向き略々Ｌ字状を成している。
【００１３】
尚、この実施形態では、ロック用溝１０を、ナスカン本体２のフック１側端部におけるガイド用スリット７を挟んでその一方側（例えば図３の(b) 及び図４の(b) に関して夫々右側）に設け、その反対側には切り込み深さの浅い溝１２を設けているが、この溝１２もロック用溝として使用することができる。また、このような溝１２に代えて、ロック用溝１０を設けてもよい。つまり、ガイド用スリット７を挟んでその両側にロック用溝１０を対称状に設けてもよい。
【００１４】
図３の(a) ，(b) はコイルバネ４の付勢力に抗して把手８で開閉ロッド５を押し上げることによって、フック１の開口部１ｏを開放させた状態を示している。この図３のようにフック１の開口部１ｏが開放した状態から、ロッド開放操作用把手８を掴んでいる手指を解放すれば、開閉ロッド５は、コイルバネ４の付勢力で下動してフック１の開口部１ｏを閉鎖することになる。
【００１５】
しかして、図４のようにフック１の開口部１ｏが閉鎖した状態から、ロッド開放操作用把手８を介して開閉ロッド５を少しだけ持ち上げるようにしながら開閉ロッド５をロック用溝１０側へ回転させると、把手８の基軸部６がガイド用スリット７からロック用溝１０の入口溝部１０ａを経てロック溝部１０ｂに係入され、これによって開閉ロッド５は閉鎖位置にロックされる。
【００１６】
開閉ロッド５には、コイルバネ４によって開閉ロッド５を閉鎖位置にロックするように付勢力が常時作用しており、しかしてロッド開放操作用把手８の基軸部６がロック用溝１０のロック溝部１０ｂに係入した時も、その基軸部６はコイルバネ４によってロック溝部１０ｂの下端部（フック開口部１ｏ側端部）に押し付けられるから、閉鎖位置を維持できると共に、例えばナスカン本体２やフック１に伝わる振動などによって開閉ロッド５にロッド押し上げ方向の力が働いたとしても、把手８の基軸部６がロック溝部１０ｂの上端部（フック開口部１ｏ側端部と反対側の端部）に当たるため、開閉ロッド５は、押し上げられるようなことはなく、閉鎖位置にロックされる。
【００１７】
また、ロック用溝１０は、ガイド用スリット７に隣接する入口溝部１０ａと、この入口溝部１０ａよりもフック１の開口部１ｏ側へ先行するように段違いに設けられたロック溝部１０ｂとからなるため、ロッド開放操作用把手８の基軸部６は、一旦ロック溝部１０ｂに入り込めば、人がロッド開放操作用把手８を操作しない限り、その基軸部６が入口溝部１０ａ側へ抜け出るようなことはなく、従って開閉ロッド５を確実に閉鎖位置にロックすることができる。
【００１８】
尚、ロック用溝１０は、この実施形態のように必ずしも、入口溝部１０ａとロック溝部１０ｂとからるなるものでなく、ガイド用スリット７から横方向に分岐するだけの簡単な溝構造とした場合でも、開閉ロッド５にかかるコイルバネ４の付勢力によって、ロッド開放操作用把手８の基軸部６をロック用溝１０に保持できるから、開閉ロッド５を閉鎖位置にロックすることができる。
【００１９】
上記したようなナスカンスナップＮの索体連結用リング３に引き紐の端部を連結し、フック１を犬の首輪に取り付けて、犬を散歩させるような時に、犬の首が激しく動いたり、ナスカン本体２やフック１に大きな振動等が生じたりしても、ナスカンスナップＮの開閉ロッド５はロックされた状態にあるから、開放するようなことがなく、従って犬の逃亡を防ぐことができる。
【図面の簡単な説明】
【００２０】
【図１】(a) は本考案に係るナスカンスナップの正面図、(b) は側面図である。
【図２】同ナスカンスナップの背面図である。
【図３】(a) はロッド開放操作用把手で開閉ロッドを押し上げて、フックの開口部を開放させた状態を示す正面図、(b) は側面図である。
【図４】開閉ロッドが閉鎖位置にロックされている状態の正面図、(b) は側面図である。
【図５】従来のナスカンスナップを示したもので、(a) は正面図、(b) は側面図である。
【符号の説明】
【００２１】
Ｎ          ナスカンスナップ
１          フック
２          ナスカン本体
３          引き紐等索体連結用のリング
４          コイルバネ
５          開閉ロッド
６          基軸部
７          ガイド用スリット
８          ロッド開放操作用把手
１０        ロック用溝
１０ａ      入口溝部
１０ｂ      ロック溝部
【図１】
0003139072.tif 000003
【図２】
0003139072.tif 000004
【図３】
0003139072.tif 000005
【図４】
0003139072.tif 000006
【図５】
0003139072.tif 000007